(57)【特許請求の範囲】
【請求項１】
曲げ自在な線形発光体と、 
回転方向に沿って前記線形発光体を巻取及び巻取解除して外側に位置識別自在に発光する第１及び第２位置知らせ発光部材が設けられ、前記線形発光体と前記第１及び第２位置知らせ発光部材に電源を供給するボビンユニットと、 
前記ボビンユニットの回転方向に沿って前記線形発光体が巻取または巻取解除できるように前記ボビンユニットを回転自在に内部に収め、前記第１及び第２位置知らせ発光部材の発光状態を確認できる発光認識部が形成されたケースと、を備えることを特徴とする救助用避難誘導装置。 
【請求項２】
前記線形発光体は、
前記ボビンユニットから巻取解除された前記線形発光体の長さを識別できるように一定距離ごとに色を異ならせて光源から射出される光が一定距離ごとに色相が転換されるようにする色フィルタ部を備えることを特徴とする請求項１に記載の救助用避難誘導装置。 
【請求項３】
前記発光認識部は、
前記第１及び第２位置知らせ発光部材に対応する位置にそれぞれ形成され、前記ケースの外周面から内周面に貫通して形成され、前記第１及び第２位置知らせ発光部材の延び方向に沿って相互離隔するように貫通して形成された多数の発光確認貫通孔を備えることを特徴とする請求項１に記載の救助用避難誘導装置。 
【請求項４】
前記ボビンユニットは、
回転方向に沿って前記線形発光体が巻取または巻取解除され、前記ケースの一側に形成された前記発光確認貫通孔に隣接した一側に前記第１位置知らせ発光部材が装着される発光体巻取ボビンと、 
前記発光体巻取ボビンの他側に前記発光体巻取ボビンの回転方向及び回転角に対応して回転できるように装着され、前記第２位置知らせ発光部材が前記ケースの他側に形成された前記発光確認貫通孔に隣接して装着され、前記線形発光体と前記第１及び第２位置知らせ発光部材が発光できるように電源を供給する電源部ボビンとを備えることを特徴とする請求項３に記載の救助用避難誘導装置。 
【請求項５】
前記ケースは、 
前記発光体巻取ボビンが回転自在に結合され、前記第１位置知らせ発光部材に対応する位置に前記発光確認貫通孔が形成された第１カバー部材と、 
前記第１カバー部材と結合され、前記発光体巻取ボビンに結合された前記電源部ボビンが回転自在に結合され、前記第２位置知らせ発光部材に対応する位置に前記発光確認貫通孔が形成された第２カバー部材とを備えることを特徴とする請求項４に記載の救助用避難誘導装置。 
【請求項６】
前記発光体巻取ボビンは、 
前記線形発光体が外周面に沿って巻取できるように延設され、前記第２カバー部材方向に開放された第１内部空間が設けられて、一側が前記第１カバー部材に回転自在に結合され、他側が前記電源部ボビンと結合される巻取部と、 
前記第１カバー部材に隣接した前記巻取部の一端に前記巻取部より大きい外径を有するように形成され、前記第１カバー部材に向かい合う面に前記第１位置知らせ発光部材が設けられる第１フランジ部と、 
前記巻取部の他端に前記巻取部より大きい外径を有するように延設される第２フランジ部と、を備えることを特徴とする請求項５に記載の救助用避難誘導装置。 
【請求項７】
前記電源部ボビンは、 
前記第１内部空間に一部収められるように形成され、一端が前記発光体巻取ボビンに固定結合される巻取部収容部と、該巻取部収容部の他端から前記巻取部収容部より拡張された外径を有し、前記第２カバー部材方向に延設され、内部に前記第２カバー部材方向に開放された第２内部空間が形成されて、前記第２内部空間に前記線形発光体及び前記第１及び第２位置知らせ発光部材と連結されるインバータが装着されるインバータ装着部が備えられる発光体巻取ボビン結合部と、 
一側が前記発光体巻取ボビン結合部に固定結合され、他側が前記第２カバー部材に回転自在に結合され、前記インバータに電源を供給する電源供給部と、前記インバータに前記電源供給部の電源供給を連結及び連結解除して前記インバータを通じて前記線形発光体と前記第１及び第２位置知らせ発光部材の発光を制御し前記発光体巻取ボビンの回転を操作する操作部が設けられ、前記第２カバー部材と向かい合う面に前記第２位置知らせ発光部材が設けられた第２カバー部材結合部とを備えることを特徴とする請求項６に記載の救助用避難誘導装置。 
【請求項８】
前記第２カバー部材は、
前記第２カバー部材結合部に装着された前記電源供給部と前記操作部のユーザの操作が容易になるよう、前記電源供給部と前記操作部が開放可能に貫通して形成された開口部を備えることを特徴とする請求項７に記載の救助用避難誘導装置。 
【請求項９】
前記ボビンユニットから巻取解除された前記線形発光体の一側端部と前記ボビンユニットとの間に通信自在な通信ユニットをさらに備えることを特徴とする請求項１に記載の救助用避難誘導装置。 
【請求項１０】
前記線形発光体は、
前記ボビンユニットの回転方向に沿って巻取及び巻取解除できるように延設され、中心線上に位置する中心引張線と、該中心引張線の長手方向に沿って延び、前記中心引張線の外側に備えられる発光部と、前記中心引張線及び前記発光部の外側をカバーする被覆部を備え、 
前記通信ユニットは、
前記ボビンユニットから巻取解除される前記線形発光体の一側の端部に設けられ、第１電気信号を発させる第１作動ボタンを含む通信端末部と、 
前記ボビンユニットに設けられ、第２電気信号を発させる第２作動ボタンと、 
前記第２作動ボタンと前記線形発光体の他側端部とそれぞれ連結され、前記第２作動ボタンの作動状態によって前記ボビンユニットに電源供給を制御し、前記発光部及び前記中心引張線を経由する電気的経路を通じて第１及び第２電気信号による前記線形発光体の発光状態に必要な電力を制御する制御部と、を備えることを特徴とする請求項９に記載の救助用避難誘導装置。 
【請求項１１】
前記中心引張線は、
導電自在であり引っ張り強度を高められる合糸または高炭素鋼線のうちいずれか一つで形成されることを特徴とする請求項１０に記載の救助用避難誘導装置。 
【請求項１２】
前記線形発光体は、
一側端部に前記通信端末部と着脱自在であり、前記通信端末部と電気的に連結可能な端子部を備えることを特徴とする請求項１０に記載の救助用避難誘導装置。
【請求項１３】
前記ボビンユニットは、
前記通信端末部と分離された前記端子部を収めて、前記端子部と電気的に連結される直列連結部を備えることを特徴とする請求項１２に記載の救助用避難誘導装置。
【発明の詳細な説明】
【技術分野】
【０００１】
本発明は救助用避難誘導装置に係り、さらには火事、停電及びガス漏れなどによる建物の緊急事態の発生時、線形発光体を通じて避難経路を確保して避難者を安全地域に誘導し、人命救助者と両方向通信が可能になって救助状況を把握できる救助用避難誘導装置に関する。
【背景技術】
【０００２】
現在、各種の建物や施設に設置されて運営中の非常誘導施設は非常誘導灯と非常誘導標識板などが殆どである。これらの主な機能は、緊急事態の発生時避難路を確保し脱出口を表示して、人々が迅速かつ正確に脱出及び避難して人命被害を最小限にするところにその目的がある。 
【０００３】
しかし、非常誘導灯や非常誘導標識板の場合、脱出方向を矢印にて表示して常に一定した方向だけを表示しており、現場状況を感知して表示内容を現場状況に応じて変えられる機能が全く備えられていない。すなわち、建物構造物に固設された非常誘導灯や非常誘導標識板は非常門が閉まっているか、非常門の周囲に火事が発生するなどのその他の理由によって非常門が利用できないとき、別の安全な非常門側に誘導したり、状況に適する避難経路を確保する機能を持っていないことから、人命などに多大な被害をもたらす恐れがある。
【０００４】
かかる問題点を解決するために、韓国特許登録第１０−１０１６９４０号には線形発光体を通じて避難者の避難経路を表示し、状況に応じて避難経路を変更できる携帯用線形非常誘導装置が開示されている。 
【０００５】
しかし、携帯用線形非常誘導装置は線形発光体が誘導する避難経路の距離や救助すべき人々が安全地域からどの程度離れているのか把握し難く、人々を救助するために出動した人命救助者と安全地域に位置した指揮者または統制所とのコミュニケーションが難しい短所があった。
【先行技術文献】
【特許文献】
【０００６】
【特許文献１】韓国特許公開公報第１０−２０１３−０１０２９７０号：発光誘導線が内蔵された非常用フラッシュ
【特許文献２】韓国実用新案公開公報第２０−２００８−０００２５６２号：知能形非常誘導ラインシステム
【発明の概要】
【発明が解決しようとする課題】
【０００７】
本発明は前述したような従来の技術の問題点を解決するために案出されたもので、その目的は線形発光体が巻取及び巻取解除されるボビンの位置を容易に確認できる救助用非難誘導装置を提供するところにある。
また、本発明の目的は、線形発光体が巻取及び巻取解除されるボビンの位置を容易に確認でき、一定距離ごとに線形発光体から発光される色を異ならせて巻取解除された線形発光体の誘導距離を把握できる救助用避難誘導装置を提供するところにある。 
【０００８】
また、本発明は線形発光体の発光状態を用いて安全地域に位置した指揮者と人命救助者との両方向コミュニケーションの可能な救助用避難誘導装置を提供するところにその目的がある。
【課題を解決するための手段】
【０００９】
前述した目的を達成するための本発明に係る救助用避難誘導装置は、曲げ自在な線形発光体と、回転方向に沿って前記線形発光体を巻取及び巻取を解除し、外側に位置識別できるように発光する第１及び第２位置知らせ発光部材が設けられ、前記線形発光体と前記第１及び第２位置知らせ発光部材に電源を供給するボビンユニットと、該ボビンユニットの回転方向に沿って前記線形発光体が巻取または巻取解除できるように前記ボビンユニットを回転自在に内部に収めて、前記第１及び第２位置知らせ発光部材の発光状態を確認できる発光認識部が形成されたケースを備えることを特徴とする。 
【００１０】
前記線形発光体は、前記ボビンユニットから巻取解除された前記線形発光体の長さを識別できるように一定距離ごとに色を異ならせて、光源から射出される光が一定距離ごとに色相が転換されるようにする色フィルタ部を備える。 
【００１１】
前記発光認識部は、前記第１及び第２位置知らせ発光部材に対応する位置にそれぞれ形成され、前記ケースの外周面から内周面に貫通して形成され、前記第１及び第２位置知らせ発光部材の延びる方向に沿って相互離隔するように貫通して形成された多数の発光確認貫通孔とを備える。
【００１２】
前記ボビンユニットは、回転方向に沿って前記線形発光体が巻取または巻取解除され、前記ケースの一側に形成された前記発光確認貫通孔に隣接した一側に前記第１位置知らせ発光部材が装着される発光体巻取ボビンと、該発光体巻取ボビンの他側に前記発光体巻取ボビンの回転方向及び回転角に対応して回転できるように装着され、前記第２位置知らせ発光部材が前記ケースの他側に形成された前記発光確認貫通孔に隣接して装着され、前記線形発光体と前記第１及び第２位置知らせ発光部材が発光できるように電源を供給する電源部ボビンと、を備える。 
【００１３】
前記ケースは、前記発光体巻取ボビンが回転自在に結合され、前記第１位置知らせ発光部材に対応する位置に前記発光確認貫通孔が形成された第１カバー部材と、該第１カバー部材と結合され前記発光体巻取ボビンに結合された前記電源部ボビンが回転自在に結合され、前記第２位置知らせ発光部材に対応する位置に前記発光確認貫通孔が形成された第２カバー部材を備える。 
【００１４】
前記発光体巻取ボビンは前記線形発光体が外周面に沿って巻取られるように延設され、前記第２カバー部材方向に開放された第１内部空間が設けられ、一側が前記第１カバー部材に回転自在に結合され、他側が前記電源部ボビンと結合される巻取部と、前記第１カバー部材に隣接した前記巻取部の一端に前記巻取部より大きい外径を有するように形成され、前記第１カバー部材に向かい合う面に前記第１位置知らせ発光部材が設けられる第１フランジ部と、前記巻取部の他端に前記巻取部より大きい外径を有するように延設される第２フランジ部と、を備える。 
【００１５】
前記電源部ボビンは前記第１内部空間に一部収められるように形成され、一端が前記発光体巻取ボビンに固定結合される巻取部収容部と、該巻取部収容部の他端で前記巻取部収容部より拡張された外径を有し、前記第２カバー部材方向に延設され、内部に前記第２カバー部材方向に開放された第２内部空間が形成され、前記第２内部空間に前記線形発光体及び前記第１及び第２位置知らせ発光部材と連結されるインバータが装着されるインバータ装着部が備えられる発光体巻取ボビン結合部と、一側が前記発光体巻取ボビン結合部に固定結合され、他側が前記第２カバー部材に回転自在に結合され、前記インバータに電源を供給する電源供給部と、前記インバータに前記電源供給部の電源供給を連結及び連結解除して前記インバータを通じて前記線形発光体と前記第１及び第２位置知らせ発光部材の発光を制御し、前記発光体巻取ボビンの回転を操作する操作部が設けられ、前記第２カバー部材と向かい合う面に前記第２位置知らせ発光部材が設けられた第２カバー部材結合部を備える。 
【００１６】
前記第２カバー部材は前記第２カバー部材結合部に装着された前記電源供給部と前記操作部のユーザ操作が容易になるよう、前記電源供給部と前記操作部が開放できるように貫通して形成された開口部を備える。 
【００１７】
本発明の救助用避難誘導装置は、前記ボビンユニットから巻取解除された前記線形発光体の一側端部と前記ボビンユニッとの間に通信可能な通信ユニットをさらに備える。 
【００１８】
前記線形発光体は、前記ボビンユニットの回転方向に沿って巻取及び巻取解除できるように延設され、中心線上に位置する中心引張線と、該中心引張線の長手方向に沿って延び、前記中心引張線の外側に備えられる発光部と、前記中心引張線及び前記発光部の外側をカバーする被覆部を備え、前記通信ユニットは前記ボビンユニットから巻取解除される前記線形発光体の一側端部に設けられ、第１電気信号を発させる第１作動ボタンを含む通信端末部と、前記ボビンユニットに設けられ第２電気信号を発させる第２作動ボタンと、該第２作動ボタンと前記線形発光体の他側端部とそれぞれ連結され、前記第２作動ボタンの作動状態によって前記ボビンユニットに電源供給を制御し、前記発光部及び前記中心引張線を経由する電気的経路を通じて第１及び第２電気信号による前記線形発光体の発光状態に必要な電力を制御する制御部を備える。 
【００１９】
前記中心引張線は導電可能であり、引っ張り強度を高められる合糸または高炭素鋼線のうちいずれか一つで形成するのが好ましい。 
【００２０】
前記線形発光体は一側端部に前記通信端末部と着脱自在であり、前記通信端末部と電気的に連結可能な端子部を備える。
【００２１】
前記電源部ボビンは前記通信端末部と分離された前記端子部を収めて、前記端子部と電気的に連結される直列連結部を備える。
【発明の効果】
【００２２】
以上説明したように本発明の救助用避難誘導装置によれば、第１及び第２位置知らせ発光部材を通じてボビンの位置が識別できるので、避難者や人命救助者の位置把握が容易になる利点を有している。 
【００２３】
また、本発明に係る救助用避難誘導装置は、線形発光体の色フィルタ部を通じて一定距離ごとに発光する色を異ならせることから、避難者や人命救助者が避難経路の距離を認識し避難できて、安全事故の発生率を低減可能な利点を有している。 
【００２４】
そして、本発明の救助用避難誘導装置は、線形発光体の発光状態を用いてコミュニケーションの可能な通信ユニットを備えることによって、人命救助者と安全地域の指揮者との両方向コミュニケーションが可能である。
【図面の簡単な説明】
【００２５】
【図１】本発明の第１の実施形態に係る救助用避難誘導装置の斜視図である。
【図２】図１の救助用避難誘導装置の一部分離斜視図である。
【図３】図１の救助用避難誘導装置の断面図である。
【図４】図１の救助用避難誘導装置のブロック図である。
【図５】図１の線形発光体の一部斜視断面図である。
【図６】本発明の第２の実施形態に係る線形発光体の断面図である。
【図７】本発明の第３の実施形態に係る救助用避難誘導装置の線形発光体の一部斜視図である。
【図８】本発明の第４の実施形態に係る救助用避難誘導装置の一部分離斜視図である。
【図９】図８の救助用避難誘導装置が直列連結された状態を示した斜視図である。
【発明を実施するための形態】
【００２６】
以下、添付した図面を参照して、本発明の好ましい実施形態に係る救助用避難誘導装置をさらに詳しく説明する。 
【００２７】
本発明に係る救助用避難誘導装置は、火事や地震などの緊急災難事故の発生時、危険地域に位置している人を救助するために人命救助者が危険地域に進入する経路を表示して予め避難経路を確保するために使われる。 
【００２８】
本発明の第１実施形態に係る救助用避難誘導装置１は、線形発光体１００と、ボビンユニット２００と、ケース３００と、結合ユニット４００と、通信ユニットを備える。 
【００２９】
線形発光体１００は曲げ自在なＥＬワイヤ(EL Wire)が適用されている。一般のＥＬワイヤは電界方式によって発光する発光半導体であるEL(electro  luminesent)素子を中心の銅線に均一に塗布し、塗布されたEL素子の外部に電極として使われた電線を設けて銅線と電線に交流電圧を印加すれば、位相変化によって電子移動が発生し、よってエネルギー変換が発生して発光する銅軸線構造の連続的線形発光特性を有する超節電磁気発光線を指す。 
【００３０】
線形発光体１００は、図５に示したように、中心電極１１０と、誘電層１２０と、 発光層１３０と、表面電極１４０と、色フィルタ部１５０と、被覆層１６０とからなるＥＬワイヤが適用できる。線形発光体１００は、中心電極１１０と表面電極１４０との間に交流電源が印加され、位相変化によって発光層１３０の内部に電子移動が起こり、これによる発光内部における電子と蛍光体との衝突によって放出されることによって、発光層１３０が線発光する構造である。誘電層１２０は中心電極から供給される交流電源によって電池を充電した後、その充電された電子を発光層１３０へ放出する機能を果たす。色フィルタ部１５０は光源に該当する発光層１３０から射出される光を設定された色相に転換する部分である。色フィルタ部１５０は黄色、緑色、赤色、青色など多様な色相のうち一つで設定できる。色フィルタ部１５０は光重合形感光性組成物及び色相を具現する有機顔料で構成できる。線形発光体１００は後述するインバータ６００と連結されている。 
【００３１】
線形発光体の中心電極１４０はマイナス電極として、表面電極はプラス電極として働いて、後述する通信ユニットの通信に使われる。 
【００３２】
ボビンユニット２００は、図１及び図２を参照すれば、後述するケース３００の内部に回転自在に装着されている。ボビンユニット２００は、回転方向に沿って線形発光体１００を巻取及び巻取解除し、外側に位置識別できるように発光する第１及び第２位置知らせ発光部材２８０，２９０が設けられ、線形発光体１００と第１及び第２位置知らせ発光部材２８０，２９０に電源を供給する部分である。 
【００３３】
ボビンユニット２００は発光体巻取ボビン２１０と電源部ボビン２５０とを備える。 
【００３４】
発光体巻取ボビン２１０は回転方向に沿って線形発光体１００が巻取または巻取解除できるように、後述するケース３００の第１カバー部材３１０に回転自在に結合ユニット４００を通じて結合されている。図２を参照すれば、発光体巻取ボビン２１０は巻取部２２０と、 第１フランジ部２３０と、第２フランジ部２４０とを備える。 
【００３５】
図３を参照すれば、巻取部２２０は線形発光体１００が外周面に沿って巻き取られるように延設されている。巻取部２２０は、図２を参照すれば、後述する第２カバー部材３２０方向に開放された第１内部空間２２１が設けられた横になった円柱状よりなっている。巻取部２２０は一側に形成された第１カバー部材３１０に回転自在に結合される円板状の第１カバー部材結合部２２３と、第１カバー部材結合部２２３の縁部から後述する第２カバー部材３２０方向に延設されて第１内部空間２２１が形成され、外周面に線形発光体１００が巻取られる円筒状の巻取部本体２２５を備える。 
【００３６】
第１カバー部材結合部２２３は一側面が第１カバー部材３１０に回転自在に結合され、第１内部空間２２１に形成された他側面が電源部ボビン２５０と結合されている。第１カバー部材結合部２２３の中心には第２カバー部材３２０から第１カバー部材３１０方向に四角状に貫通して形成された第１固定貫通孔２２４が形成されている。第１固定貫通孔２２４は後述する結合ユニット４００の固定部材４２０の横断面形状に対応するように貫通して形成され、固定部材４２０が貫通されて固定装着される部分である。結合ユニット４００と固定部材４２０の具体的な構造は後述する。巻取部本体２２５の一側には線形発光体１００と後述するインバータ６００が連結できるように第１インバータ連結孔２２６が形成されている。 
【００３７】
第１フランジ部２３０は、後述するケース３００の第１カバー部材３１０に隣接した巻取部２２０の一端に第１カバー部材と並んで巻取部２２０より大きい外径を有するように形成されている。すなわち、第１フランジ部２３０は第１カバー部材結合部２２３の縁部に沿って第１固定貫通孔２２４から遠ざかるように延設された部分である。第１フランジ部２３０は第１カバー部材３１０に向かい合う面に第１位置知らせ発光部材２８０が第１フランジ部２３０の円周方向に設けられている。第１位置知らせ発光部材２８０は線形発光体１００に適用されたＥＬワイヤが適用されており、後述する電源部ボビン２５０に装着されたインバータ６００と連結されている。第１フランジ部２３０は第１フランジ部２３０の円周方向に沿って形成されて、第１位置知らせ発光部材２８０が安着される第１発光部材安着溝２３１が形成されている。第１位置知らせ発光部材２８０は光を外部に射出することによって、ボビンユニット２００とケース３００の位置把握や救助用避難誘導装置１を所持しているユーザの位置把握を容易にする役割を果たす。
【００３８】
第２フランジ部２４０は、巻取部２２０の他端で巻取部本体２２５より大きい外径を有するように第１フランジ部２３０と並んだ方向に延設された部分である。第１フランジ部２３０と第２フランジ部２４０は巻取部２２０に巻取られて、積層される線形発光体１００が巻取部２２０の外側に外れないように保持する役割を果たす。 
【００３９】
図１及び図２を参照すれば、電源部ボビン２５０は発光体巻取ボビン２１０の回転方向及び回転角に対応して回転できるように一側が第１カバー部材結合部２２３の他側面に固着され、他側が第２カバー部材３２０に回転自在に結合される。電源部ボビン２５０は 線形発光体１００と第１位置知らせ発光部材２８０、それから後述する第２位置知らせ発光部材２９０が発光できるように電源を供給する。電源部ボビン２５０は発光体巻取ボビン結合部２６０と第２カバー部材結合部２７０とインバータ６００とを備える。 
【００４０】
発光体巻取ボビン結合部２６０は巻取部収容部２６１とインバータ装着部２６５とを備える。 
【００４１】
巻取部収容部２６１は第１内部空間２２１に一部収められるように形成され、一端が発光体巻取ボビン２１０に固定部材４２０を通じて固着される部分である。巻取部収容部２６１は内部に第２カバー部材３２０方向に開放された第３内部空間２６６aが形成されており、第３内部空間２６６aは後述するインバータ装着部２６５の第２内部空間２６６と連通されている。 
【００４２】
巻取部収容部２６１は固定部材結合部２６２と収容部本体２６４を備える。固定部材結合部２６２は第１カバー部材結合部２２３と並んだ方向に 巻取部２２０の内径より小さく延設され、第１固定貫通孔２２４に対応する部分に固定部材４２０が貫通して結合できる第２固定貫通孔２６３が形成されている。収容部本体２６４は固定部材結合部２６２の縁部に沿って第２カバー部材３２０方向に延設され、第３内部空間２６６aが形成されている。収容部本体２６４は一側にインバータ６００が第１及び第２位置知らせ発光部材２８０、２９０、それから線形発光体１００と連結できるように貫通して形成された第２インバータ連結孔２６４aが形成されている。 
【００４３】
インバータ装着部２６５は巻取部収容部２６１の他端、すなわち収容部本体２６４の端部から収容部本体２６４の外周面に直交する方向に延設され、収容部本体２６４より拡張された外径を有するように形成された第３フランジ部２６７と、第３フランジ部２６７の縁部に沿って第２カバー部材２２０方向に延設され、内部に第２内部空間２６６が設けられたフランジ延長部２６８と、フランジ延長部２６８の縁部に沿ってフランジ延長部２６８の外周面に直交する方向に延設され、フランジ延長部２６８より拡張された外径を有する第４フランジ部２６９を備える。すなわち、インバータ装着部２６５は第２内部空間２６６が第３内部空間２６６aと連通され、第２カバー部材３２０の方向に開放して形成されている。第２内部空間２６６の一側には線形発光体１００、第１及び第２位置知らせ発光部材２８０，２９０と連結されるインバータ６００が装着されている。 
【００４４】
第２カバー部材結合部２７０は、一側が発光体巻取ボビン結合部２６０の第４フランジ２６９とボルト締結されており、他側が第２カバー部材３２０に第２軸受４６０を通じて回転自在に結合されている。第２カバー部材結合部２７０はインバータに電源を供給する電源供給部２７３と、インバータ６００に電源供給部２７３の電源供給を連結及び連結解除して、インバータ６００を通じて線形発光体と第１及び第２位置知らせ発光部材の発光を制御し、発光体巻取ボビンの回転を操作する操作部２７６が設けられている。 
【００４５】
第２カバー部材結合部２７０は電源供給部装着部２７１と操作部装着部２７５を備える。 
【００４６】
図２及び図３を参照すれば、電源供給部装着部２７１は第３内部空間２６６aに一部収められるように形成され、電源供給部２７３であるバッテリが装着できるように、後述するケース３００の第２カバー部材３２０方向に開放されたバッテリ装着空間２７３aが形成されている。電源供給部装着部２７１はケース３００の第１カバー部材３１０に隣接した一側端部に装着されバッテリの一端に設けられた電源供給端子２７１a、２７２bと接続され、インバータ６００と連結された端子ユニット２７４を備える。 
【００４７】
操作部装着部２７５は電源供給部装着部２７３の他側端部の縁部に沿ってバッテリ装着本体２７３の外径より拡張されるように形成され、バッテリ装着空間２７３aが開放するように中心部が貫通して形成されている。また、操作部装着部２７５の 一側面は第４フランジ部２６９とボルト締結されており、他側面は第２カバー部材３２０に回転ガイド部材４６０を介して回転自在に結合されている。回転ガイド部材４６０は操作部装着部２７５の円周方向に沿って一定間隔ごとに設置されている。 
【００４８】
操作部装着部２７５は第２カバー部材２２０と向かい合う他側面に第２位置知らせ発光部材２９０が設けられている。第２位置知らせ発光部材２９０は第１位置知らせ発光部材２８０に対応する位置に設けられてインバータ６００と連結されており、第１位置知らせ発光部材２８０のようにＥＬワイヤが適用されている。 
【００４９】
操作部装着部２７５の他側面には操作部装着部２７５の円周方向に沿って形成されて、第２位置知らせ発光部材２９０が安着される第２発光部材安着溝２７８が形成されている。 
【００５０】
操作部装着部２７５に装着される操作部２７６は制御部５３０を通じて電源供給部２７１と連結され、インバータ６００に電源供給及び電源供給解除されるようにする第２作動ボタン２７７とボビンユニット２００の回転運動と回転方向を決定するハンドル２７９を備える。ハンドル２７９は第１カバー部材３１０から第２カバー部材３２０方向に延設され、 操作部装着部２７５を貫通して一端が発光体巻取ボビン結合部２６０に結合されており、他端は操作部装着部２７５の他側面に対して突出して形成されている。 
【００５１】
図１及び図２を参照すれば、ケース３００はボビンユニット２００の回転方向に沿って線形発光体１００が巻取または巻取解除できるようにボビンユニット２００を回転自在に内部に収める。
【００５２】
ケース３００は、第１カバー部材３１０と、第２カバー部材３２０と、多数のカバー部材締結ボルト３３０を備える。また、ケース３００は第１及び第２位置知らせ発光部材２８０、２９０の発光状態を確認できるように発光認識部３４０がそれぞれ設けられている。 
【００５３】
第１カバー部材３１０は板状より形成されており、第１位置知らせ発光部材２８０に対応する位置に発光認識部３４０が形成されている。第１カバー部材３１０は発光体巻取ボビン２１０と向かい合う内側面に発光体巻取ボビン２１０が回転自在に結合できるように結合ユニット４００の第１軸受４１０が装着されている。この際、第１軸受４１０は中心軸が発光体巻取ボビン２１０に形成された第１固定貫通孔２２４に対応する位置に存するように第１カバー部材２１０に装着されている。第１カバー部材３１０は、図１及び図２を参照すれば、後述する第２カバー部材３２０と離隔結合されるように所定距離延設された結合バー３１１の一側とカバー部材締結ボルト３３０を通じて結合されている。第１カバー部材３１０は上部に離隔された第２カバー部材３２０方向の延び、上端に把持できるように形成された取手部３１５が形成されている。また、第１カバー部材３１０の下端はボビンユニット２００に対応する部分が第２カバー部材３２０方向に延設されている。 
【００５４】
第２カバー部材３２０は、第１カバー部材３１０に対応して形成された板状に結合バー３１１の他側と結合されており、第２位置知らせ発光部材２９０に対応する位置に発光認識部３４０が形成されている。また、第２カバー部材３２０は発光体巻取ボビン２１０に結合された電源部ボビン２５０が回転自在に回転誘導部材４６０と結合されている。 
【００５５】
第２カバー部材３２０は、操作部装着部に固設された回転誘導部材４６０を収め、 回転誘導部材４６０が円周方向に移動できるように案内する回転ガイド溝３２５を備える。回転ガイド溝３５２は操作部装着部２７５の円周方向に沿って形成されている。回転ガイド溝３２５は複数の回転誘導部材４６０が円周方向に相互離隔して形成する直径に対応して形成されることが好ましい。 
【００５６】
第２カバー部材３２０は、第２カバー部材結合部２７０に装着される電源供給部２７３と操作部２７６のユーザの操作が容易になるよう、電源供給部２７３と操作部２７６が開放できるように貫通して形成された開口部３２３が形成されている。開口部３２３は図１及び図２を参照すれば、第２カバー部材において発光認識部３４０より内側に位置するように形成されている。 
【００５７】
複数の結合バー３１１は、第１及び第２カバー部材の縁部に沿って互いに所定間隔離隔されて内側にボビンユニットが位置するように装着されている。ケース３００の一側には 結合バー３１１が線形発光体１００が排出できるほど配置するように第１及び第２カバー部材３１０、３２０に装着され、線形発光体１００の進退を案内するガイド部３１７が形成されている。 
【００５８】
発光認識部３４０は外部から第１及び第２位置知らせ発光部材２８０，２９０の発光状態を確認できるように、ボビンユニット２００に装着された第１及び第２位置知らせ発光部材２８０、２９０に対応する位置にそれぞれ形成されている。発光認識部３４０は第１及び第２カバー部材の各外周面から内周面に貫通して形成された多数の発光確認貫通孔３４１を備える。多数の発光確認貫通孔３４１は第１及び第２位置知らせ発光部材２８０、２９０の延び方向に沿って長孔でそれぞれ貫通して形成されており、第１及び第２位置知らせ発光部材２８０、２９０の延び方向に沿って所定間隔で相互離隔されている。
【００５９】
取手部の形状や装着位置は救助用避難誘導装置１を把持したり携帯できれば、図１及び図２に示したものに限定されない。また、両方向通信の可能な避難誘導装置１は肩にかけられる肩紐(図示せず)を適用できる。 
【００６０】
本発明の一実施形態に係るケース３００は、線形発光体１００が排出される一側と他側が開放された構造を有しているが、一側のみ開放されたり、ガイド部３１７だけが開放して形成されるように適用することもできる。 
【００６１】
結合ユニット４００は、第１カバー部材３１０に結合される第１軸受４１０と、発光体巻取ボビン２１０の第１固定貫通孔２２４と巻取部収容部２６１の第２固定貫通孔２６３を貫通して一側が第１軸受４１０に固定装着される固定部材４２０、第１カバー部材結合部２２３と固定部材結合部２６２との間に位置し、固定部材４２０が貫通される第１離脱防止リング４３０と、固定部材結合部２６２の電源供給部装着部２７１と向かい合う面と接触され、固定部材４２０が貫通される第２離脱防止リング４４０と、固定部材の他側端部に 固定部材の長手方向と直交する方向に固定部材４２０を貫通して、第２離脱防止リング４４０の離脱を防止する安全ピン４５０を備える。 
【００６２】
固定部材４２０は四角柱状より形成されており、第１固定貫通孔２２４及び第２固定貫通孔２６３は固定部材４２０の横断面状に対応するように貫通して形成されている。 従って、固定部材４２０は発光体巻き取りボビン２１０と電源部ボビン２５０が一方向に 回転する際相互同じ方向に回転し、回転角度が同一になるよう保持する役割を果たす。第１離脱防止リング４３０は固定部材４２０から発光体巻取ボビン２１０の離脱を防止し、発光体巻取ボビン２１０と電源部ボビン２５０との間に遊撃を無くして安定的に回転運動できるように補助する役割を果たす。第２離脱防止リング４４０は発光体巻取ボビン結合部２６０が固定部材４２０から離脱することを防止し、第２離脱防止リング４４０は安全ピン４５０によって離脱防止される。安全ピン４５０は曲げ自在であり、外力が無くては復元されないように鉄、アルミニウム、銅などの素材が適用されるのが好ましい。 
【００６３】
通信ユニットはボビンユニット２００から巻取解除された線形発光体１００の一側 端部とボビンユニット２００との間に両方向通信を可能にするものであって、通信端末部５１０と第２作動ボタン２７７と制御部５３０とからなる。 
【００６４】
通信端末部５１０はボビンユニット２００から巻取解除される線形発光体１００の 一側端部に設けられる。 
【００６５】
通信端末部５１０は把持自在に形成され、一側が線形発光体１００の一側端部と連結され、他側が環部１１1が形成される端末本体５１１と、端末本体５１１に装着され安全地域に位置した現場指揮所や指揮者の操作によって第１電気信号を発させる第１作動ボタン５１３を含む。 
【００６６】
第２作動ボタン２７７は操作部２７６として制御部５３０及びインバータ６００を通じて線形発光体１００の他側端部と連なって通信端末部５１０と電気的に連結され、ユーザの操作によって第２電気信号を発させる。 
【００６７】
制御部５３０は電源部ボビン２００に設けられ、第２作動ボタン２７７と線形発光体１００の他側端部と連結され、第１作動ボタン５１３及び第２作動ボタン５２３の作動状態によって線形発光体１００を通じて通信端末部５１０に電源供給を制御し、第１電気信号を受信したり通信端末部５１０に第２電気信号の伝達を制御する。 
【００６８】
また、制御部５３０はバッテリ２７３及びインバータ６００と連結され、バッテリ２７３から印加された電源を制御して、インバータ６００を通じて線形発光体１００と第１ 及び第２位置知らせ発光部材２８０、２９０に供給する。 
【００６９】
さて、前述したような構成を有する本発明の一実施形態による救助用避難誘導装置１の作用について説明する。 
【００７０】
救助用避難誘導装置１は緊急災難の発生時、危険地域に位置した避難者を安全地域に避難させるために人命救助者が危険地域に進入しながら避難者の避難経路を予め確保することができる。
【００７１】
安全地域から危険地域に進もうとする人命救助者が避難誘導装置１を把持したり携帯し、線形発光体１００と第１及び第２位置知らせ発光部材２８０、２９０を第２作動ボタン２７７の操作を通じて発光させる。第１及び第２位置知らせ発光部材２８０、２９０の発光状態は発光認識部３４０の発光確認貫通孔３４１を通じて確認可能である。 
【００７２】
バッテリ２７３が電源供給部装着部２７１に装着された状態で第２作動ボタン２７７を人命救助者やユーザが操作して、制御部５３０を通じてインバータ６００の作動及び線形発光体、第１及び第２位置知らせ部材の発光に必要な電源を供給する。インバータ６００はバッテリ２７３から受けた直流電源を制御部５３０を通じて印加されて、線形発光体１００に適した交流電源に変換する役割を果たす。インバータ６００を通じて交流に転換された電源は第１及び第２位置知らせ発光部材２８０、２９０と線形発光体１００に供給される。 
【００７３】
そして、通信端末部５１０の端部に設けられている環部１１1を安全地域の周辺救助物のある部分に架けて固定した後、危険地域に進入しながら線形発光体１００が発光体巻取ボビン２１０から巻取解除されて、ガイド部３１７を通じて排出されるようにハンドル２７９を円周方向に回す。 
【００７４】
ハンドル２７９を線形発光体１００がボビンユニット２００から巻取解除されるように第２カバー部材の外周面を基準にして時計回りに回すと、回転誘導部材４６０が回転ガイド溝３２５に沿って円周方向に回転しつつハンドル２７９が装着された電源部ボビン２５０が時計回りに回転される。固定部材４２０を通じて電源部ボビン２５０と結合された発光体巻取ボビン２１０が電源部ボビン２５０の回転方向と同じ方向である時計回りに回転しつつ線形発光体１００が巻取解除される。 
【００７５】
人命救助者の進入経路に沿って巻取解除された線形発光体１００によって避難経路が確保され、火事やその他の粉埃などによって視野が狭くなっていても線形発光体１００の発光により避難経路を識別することができる。また、第１及び第２位置知らせ発光部材の発光により人命救助者の位置を避難者が容易に把握できて人命救助者の救助案内を効率よく受けられる利点がある。そして、人命救助者は安全地域に復帰する時はハンドル２７９を第２カバー部材の外周面を基準にして反時計回りに回転させて、線形発光体１００がボビンユニット２００に巻取られるようにする。
【００７６】
そして、本発明の第１の実施形態に係る救助用避難誘導装置は、線形発光体１００の 一側端部に設けられた通信端末部５１０とボビンユニット２００に設けられた第２作動ボタン２７７で線形発光体１００を通じて第１及び第２電気的信号を送ることができる。 
【００７７】
例えば、一定時間以上に第１または第２作動ボタン５１０、２７７を押す場合、通信端末部５１０及び電源部ボビン２５０の電源をオン(On)させたり、オン状態でオフ(Off)させることができる。 
【００７８】
線形発光体１００は第１作動ボタン５１３と第２作動ボタン２７７の押圧状態や回数によって制御部５３０を通じて発光状態が制御できる。すなわち、制御部５３０は線形発光体１００が持続的に発光される第１発光状態、長周期で発光した後点滅される第２発光状態、短周期で発光した後点滅される第３発光状態、長周期の発光状態と短周期の発光状態が交番する第４発光状態などで、第１及び第２作動ボタン５１０、５２０の操作によって発光するように設定できる。 
【００７９】
救助用避難誘導装置１は人命救助者と現場指揮所との約束された信号に応じて、線形発光体１００が発光される電源部ボビン２５０のオン(On) 状態で第２作動ボタン５２０が短く１回さらに押圧される場合、第４発光状態で線形発光体１００が発光され、現在正常的に救助及び作業が進行中であるとの状態を表示することができる。あるいは両方向通信の可能な救助用避難誘導装置１は第２作動ボタン２７７が２回さらに押圧される場合、第３発光状態で線形発光体１００が発光され、現在緊急状況救助要請または警告状態などを現場指揮所や指揮者に伝達することができる。 
【００８０】
すなわち、救助用避難誘導装置１は人命救助者または救助しようとする人の身体危険状況下で外部に位置する統制所または指揮者に状況に送信することができ、現場指揮手続において全ての人命救助者、指揮官、各単位組織の力を効率よく統合する目的を達成することができる。
【００８１】
本発明の第１の実施形態に係る救助用避難誘導装置１は、第１及び第２位置知らせ発光部材２８０，２９０を通じてボビンユニット２００の位置が識別できるので、避難者や人命救助者の位置把握が容易になる利点を持っている。 
【００８２】
また、本発明に係る救助用避難誘導装置１は、通信端末部５１０と、線形発光体１００と、第２作動ボタン２７７とからなる通信ラインが形成されて、人命救助者と指揮者との簡単なコミュニケーションが可能になるので、救助状況を容易に把握できる利点がある。 
【００８３】
一方、図６は本発明の第２の実施形態に係る救助用避難誘導装置の線形発光体７００の断面図である。前述した図面において同じ機能を有する構成要素は同じ参照符号で付する。 
【００８４】
線形発光体７００は、図６に示したように、多数のＥＬワイヤを備えることもできる。
【００８５】
線形発光体７００は後述する発光体巻取ボビン２１０の回転方向に沿って巻取及び 巻取解除自在に延設され、中心線上に位置する線形の中心引張線７１０と、中心引張線７１０の長手方向に沿って延び、中心引張線７１０の外側に備えられる発光部７２０と、中心引張部７１０及び発光部７２０の外側をカバーする被覆部７３０、７４０を備える。
【００８６】
中心引張線７１０は導電自在で、かつ引っ張り強度を高められる合糸または高炭素鋼線のうちいずれか一つが適用できる。 
【００８７】
発光部７２０は、図６に示したように、中心引張線７１０の長手方向に沿って延びるＥＬワイヤ７２１と、ＥＬワイヤ７２１の外側を包む蛍光物質７２３と、蛍光物質７２３の外側を包むテフロン（登録商標）被覆層７２５とを備える。 
【００８８】
図６に示したように、被覆層７２５内にＥＬワイヤがさらに適用できる。 
【００８９】
線形発光体７００の中心引張線７１０はマイナス電極として、ＥＬワイヤ７２１はプラス電極として働いて、通信端末部５１０と第２作動ボタン２７７との通信に使われる。 
【００９０】
被覆部は、中心引張線７１０及び発光部７２０を包む第１被覆層７３０と、第１被覆層を包む第２被覆層７４０とを備える。 
【００９１】
ＥＬワイヤ７２１は、本発明の第１の実施形態に係るＥＬワイヤの構造を有することもでき、示されていないが、中心軸に銅線(core wire)と銅線を包む蛍光物質と、蛍光物質を包みながら抵抗ワイヤ(radial wire)を含むコーティング層で形成された構造を有することもできる。この際、被覆部は、示されていないが、ＥＬワイヤから発光される光を設定された色相に転換する色フィルタ部をさらに備えられる。色フィルタ部は黄色、緑色、赤色、青色など多様な色相のうちいずれか一つに設定できる。または、被覆部は第１または第２被覆層７３０、７４０のうちいずれか一つが色フィルタ部に置き換えられて適用することもできる。 
【００９２】
本発明の第２の実施形態に係る制御部５３０は、第２作動ボタン２７７の作動状態によってボビンユニット２００に電源供給を制御し、発光部７２０及び中心引張線７１０を経由する電気的経路を通じて第１及び第２電気信号による線形発光体７００の発光状態に必要な電力を制御する。
【００９３】
本発明の第２の実施形態に係る救助用避難誘導装置は、多数のＥＬワイヤが内蔵されていて、救助経路が長い場合にも線形発光体の発光確認が容易な利点がある。 
【００９４】
一方、図７は本発明の第３の実施形態に係る救助用避難誘導装置３の線形発光体１００の一部斜視図である。 
【００９５】
本発明の第３の実施形態に係る色フィルタ部１５０は、ボビンユニット２００から 巻取解除された線形発光体の長さを識別できるように一定距離ごとに色相が転換されるように適用されている。すなわち、色フィルタ部１５０は一定間隔で相互異なる色相よりなっている。 
【００９６】
図７を参照すれば、１０ｍ間隔ごとに色フィルタ部１５０のフィルタ色相が青色、赤色、オーレンジ色の順番にて形成されていることを例として説明する。発光層１３０から射出される光が色フィルタ部を通過しつつ１０ｍ間隔ごとに青色光１００a、赤色光１００b、オーレンジ色光１００cに転換される。色フィルタ部１５０は5m間隔ごとに光色相が転換されるようにフィルタ色相を異ならせることもでき、３m間隔に光色相が転換されるようにすることもできる。しかし、色フィルタ部１５０のフィルタ色相の転換間隔は例示されたものに限定されず、設定されるフィルタ色相も多様に適用できることは勿論である。また、線形発光体１００の長さも限定されないことは勿論である。 
【００９７】
本発明の第３の実施形態に係る救助用避難誘導装置２は、発光体巻取ボビン２１０から巻取解除されてケース３００の外側に排出された線形発光体が色フィルタ部のフィルタ色相によって一定間隔ごとに異なる色相の光を射出することによって避難者や人命救助者が巻取解除された線形発光体の長さを識別できる利点を持っている。従って、人命救助者や避難者は線形発光体が一定間隔ごとに転換された発光色相を通じて、危険地域から安全地域までの距離を概略に認識することができて、安全事故を予防することができ、心理的な負担感を軽減することができる。
【００９８】
示されていないが、本発明の第２の実施形態に係る線形発光体の構造に一定間隔ごとに異なる色相を有する色フィルタ部を適用できることは勿論である。 
【００９９】
一方、図８及び図９に示された本発明の第４の実施形態に係る救助用避難誘導装置４が示されている。前述した図面と同じ機能を有する構成要素は同一参照符号を付する。 
【０１００】
本発明の第４の実施形態に係る救助用避難誘導装置４の線形発光体８００は本発明の第１の実施形態ないし本発明の第３の実施形態に係る線形発光体１００、７００の構造に通信端末部５１０と着脱自在であり、通信端末部５１０と電気的に連結可能な端子部１９０を備える。 
【０１０１】
線形発光体の端子部１９０が形成された一側端部と、端子部１９０が挿入される通信端末部５１０の端部側にはそれぞれ相互螺合される推ねじ部１９１と雌ねじ部５１５が形成される。 
【０１０２】
そして、本発明の第４の実施形態に係る電源部ボビン２００は通信端末部５１０から分離された端子部１９０を収めて端子部１９０と電気的に連結される直列連結部９００を備える。 
【０１０３】
従って、本発明の第４の実施形態に係る救助用避難誘導装置４の端子部１９０は同じ構造を有する救助用避難誘導装置４の直列連結部９００に連結できて、図９に示したように、複数の救助用避難誘導装置４を直列連結するための用途として用いられる。 
【０１０４】
今まで説明して来た本発明に係る救助用避難誘導装置は、第１及び第２位置知らせ発光部材２８０、２９０を通じてボビンユニット２００の位置が識別できるので、避難者や人命救助者の位置把握または移動しようとする安全地域の位置把握が容易な利点を有している。
【０１０５】
また、本発明に係る救助用避難誘導装置は線形発光体１００の色フィルタ部１５０を通じて一定距離ごとに発光される色を異ならせることによって、避難者や人命救助者が避難経路の距離を認識し避難することができて、安全事故の発生率を低減できる利点を有している。 
【０１０６】
そして、本発明に係る救助用避難誘導装置は、線形発光体の発光状態を用いて意見を伝達できる通信ユニットを備えることによって、人命救助者と安全地域の指揮者との両方向コミュニケーションが可能である。 
【０１０７】
本発明は図面に示した実施形態を参考にして説明して来たが、これは例示に過ぎず、本技術分野の通常の知識を持つ者であれば、これより多様な変形及び均等な他の実施形態が可能であることが理解できるはずである。従って、本発明の真の技術的保護範囲は添付した請求の範囲の技術的思想によって定められるべきである。
【符号の説明】
【０１０８】
１：救助用避難誘導装置 
１００：線形発光体                   
１５０：色フィルタ部 
２００：ボビンユニット               
２１０：発光体巻取ボビン 
２２０：巻取部                       
２３０：第１フランジ部 
２３１：第１発光部材安着溝           
２４０：第２フランジ部 
２５０：電源部ボビン                 
２６０：発光体巻取ボビン結合部 
２７０：第２カバー部材結合部         
２７１：電源供給部装着部 
２７３：電源供給部                   
２７５：操作部装着部 
２７７：第２作動ボタン               
２７８：第２発光部材安着溝 
２７９：ハンドル                     
２８０：第１位置知らせ発光部材 
２９０：第２位置知らせ発光部材       
３００：ケース 
３１０：第１カバー部材               
３１１：結合バー 
３２０：第２カバー部材              
３２３：開口部 
３３０：カバー部材締結ボルト         
３４０：発光認識部 
３４１：発光確認貫通孔               
４００：結合ユニット 
４１０：第１軸受                    
４２０：固定部材 
４３０：第１離脱防止リング           
４４０：第２離脱防止リング 
５１０：通信端末部                    
５１１：端末本体 
５１３：第１作動ボタン               
５３０：制御部 
６００：インバータ
【図１】
0006356776.tif 000002
【図２】
0006356776.tif 000003
【図３】
0006356776.tif 000004
【図４】
0006356776.tif 000005
【図５】
0006356776.tif 000006
【図６】
0006356776.tif 000007
【図７】
0006356776.tif 000008
【図８】
0006356776.tif 000009
【図９】
0006356776.tif 000010